(57)【要約】【課題】浴室空間を空調し、水分検知センサーを本体に搭載し浴室内壁面全体の結露水の位置を検知可能であり、浴室内の結露水を乾燥することにより、清潔で、快適な浴室空間を提供することを目的とする。【解決手段】浴室乾燥開始命令により制御部３１は水分検知センサー５１の作動を開始させて循環モータ１５を駆動させ、吸気口１１から浴室の空気が吸込まれる。更に所定時間後水分検知センサー５１が浴室壁面の水分を検知すると、ヒータ３７に通電して、風路２１内の空気はヒータ３７で加熱され、温風として円錐状の吐風口７から浴室内に供給される。その際、吐風口７は吐風口駆動モータ６０にて浴室内の結露水がある場所に向けて温風を供給し、浴室壁面全体の結露水を乾燥することが可能である。【選択図】  図２
2004309000.tif 000002
【特許請求の範囲】
【請求項１】
少なくとも１室以上の居室に連通した複数個の吸気口と、浴室へ排気する吐風口と、前記吸気口から空気を吸込み、前記吐風口から空気を吐風することが可能な送風機と、熱源部を風路内に備え、送風機を制御する制御部を備えた空調装置において、前記空調装置に浴室内壁面全体の結露水を検知可能な水分検知センサーを搭載し、かつ、水分検知センサーの検知に連動して、吐風口方向を変化させる制御機能を有することを特徴とする空調装置。
【請求項２】
前記吐風口が浴室全体に吐風することが可能な吐風口を有することを特徴とする請求項１の空調装置。
【請求項３】
前記吐風口の形状が、円錐状になっていることを特徴とした請求項１乃至２の空調装置
【発明の詳細な説明】
【０００１】
【発明の属する技術分野】
本発明は、主に浴室の空調を行う浴室空調機に関する。
【０００２】
【従来の技術】
従来、この種の空調装置は、本体の一部に、湿度センサーを備えたものが知られている。（例えば、特許文献１参照）このものでは、乾燥室内の湿度を検出する湿度センサーからの信号を得て排気量を可変することで浴室の湿度が所定以下になるように排気量を小さくするものがあった。
【０００３】
【特許文献１】
特開昭６１―５２８９９（第４頁、第２図）
【０００４】
【発明が解決しようとする課題】
しかしながら、上記従来のものでは、乾燥室内、例えば、浴室の湿度を検出することのみであり、特に冬場の浴室内の結露を乾燥するものではなかった。
【０００５】
従って、浴室内は、特に冬場は、結露が多く、入浴後の掃除などで足元がぬれるなど、の問題があり、浴室内を清潔に保つには、浴室内の結露水を乾燥する状態が望ましい。
【０００６】
本発明は、上記課題を解決するためになされたもので、本発明の目的は、主に浴室、送風機を制御する制御部を備えた空調装置において、前記空調装置に水分検知センサーを搭載し、かつ、水分検知センサーの検知に連動して、吐風口方向を変化させる制御部を有することを特徴とする空調装置を提供することにある。
【０００７】
【課題を解決するための手段及び作用・効果】
上記目的を達成するために本発明においては、少なくとも１室以上の居室に連通した複数個の吸気口と、浴室へ排気する吐風口と、前記吸気口から空気を吸込み、前記吐風口から空気を吐風することが可能な送風機と、熱源部を風路内に備え、送風機を制御する制御部を備えた空調装置において、前記空調装置に浴室内壁面全体の結露水を検知可能な水分検知センサーを搭載し、かつ、水分検知センサーの検知に連動して、吐風口方向を変化させる制御機能を有することを特徴としている。
【０００８】
従って、このように構成することにより、浴室内の結露水がある場所を検知して吐風方向を制御することで浴室内の結露水が速やかに乾燥するように制御することができ、快適で、清潔な浴室を保つこととが可能になる。
【０００９】
更に、前記吐風口が浴室全体に吐風することが可能な吐風口を有したら、浴室内の結露水をくまなく除去することが可能になり、さらに快適で、清潔な浴室を保つこととが可能になる。
【００１０】
更に、前記吐風口の形状が、円錐状になっていることで、浴室内の結露水を集中的に吹き飛ばして、乾燥することが可能になり、更に、迅速に結露を乾燥し、快適で清潔な浴室を保つこととが可能になる。
【００１１】
【発明の実施の形態】
以下に、本発明の実施の形態を図面に基づいて説明する。
【００１２】
図１は、本発明の一実施形態に係る空調装置の設置例である。
【００１３】
図１に示すように、空調装置は、例えば、浴室Ａの天井１０裏に設置されており、装置本体１の側面に設けた吸気口３が、浴室と異なる居室と連通している。装置本体１は、浴室内Ａの空気を装置本体１前面から吸込んで内部に備えた加熱手段により昇温し、再び浴室Ａ内に温風として供給する暖房モード、浴室Ａ内の空気を装置本体１前面から吸込んで再び浴室Ａ内に供給する送風モードを備える。
【００１４】
また、浴室と隣接した居室、例えば洗面所の壁面には、本体１を遠隔操作するリモコン４１が備えられ、前述した浴室の暖房モード、送風モードなどが行われる。このとき、リモコン４１は赤外線式や電波式などの無線方式を使用して装置本体１と通信するように構成すれば施工上簡便で好ましい。
【００１５】
図２は、本発明の空調装置の内部構造を示す断面図である。
【００１６】
空調装置１は、前面を開口した箱型形状の本体ケーシング１７は、浴室天井１０に天井裏に埋設する形で固定される。また、本体ケーシング１７には、送風手段としての循環ファン１３、循環ファン１３を回転させるための循環モータ１５、加熱手段としての電気式ヒータ３７、吸気口１１から吸込んだ空気の流路としての風路２１とで構成される温風循環部２３を備える。また、温風循環部２３の下流側端部吐風口７付近には、浴室の壁面、例えば、床面や側面、天井などに付着している結露水を感知する水分検知センサー５１を備えている。
【００１７】
上述した吐風口には吐風方向を自在に可変することが可能な吐風口駆動モータ６１が備えられ、吐風方向を自在に可変することが可能である。また、吐風口は、吐風風速を大きくするために、円錐状になっている。
【００１８】
また、制御部３１は、本体ケーシング１７備えてあり、循環モータ１５、ヒータ３７水分検知センサー５１、吐風口駆動モータ６１と電気的に接続され、運転モードに応じて各々を制御する。
【００１９】
図３は、本発明の空調装置の制御ブロック図である。
【００２０】
制御部３１には、循環モータ１５、ヒータ３７、リモコン４１水分検知センサー５１、吐風口駆動モータ６０１と接続されている。
【００２１】
本発明における空調装置は、主に浴室を暖める暖房モードと、浴室内を乾燥させる乾燥モード、および浴室内で主に清涼感を求める際に使用する送風モードを備える。リモコン４１の操作により、乾燥モードの指示が制御部３１にくると制御部３１は循環モータ１５、ヒータ３７、水分検知センサー５１、吐風口駆動モータに作動信号を送る。暖房モード指示が制御部３１にくると制御部３１は循環モータ１５、ヒータ３７、に作動信号を送る。送風モード指示が制御部３１にくると制御部３１は循環モータ１５、に作動信号を送る。
【００２２】
図４は、本発明の空調装置の操作部としてのリモコンを示す図である。
【００２３】
リモコン４１には、全ての運転を停止するための停止スイッチ７１、浴室の暖房モードを開始するための暖房スイッチ７２、浴室乾燥モードを開始するための浴室乾燥スイッチ７３、浴室の送風モードを開始するための送風スイッチ７４を備える。更に、暖房スイッチ７２に隣接した位置にＬＥＤ７５ａを設け、暖房スイッチ７２が押された際には、ＬＥＤ７５ａが点灯し、現在の運転状況を確認することができる。
【００２４】
なお、このＬＥＤは停止スイッチ以外のスイッチ全てに設けられている。
【００２５】
図５は、本発明における空調装置の一実施形態を示す運転動作シーケンス図である。
【００２６】
浴室乾燥スイッチがオンされる（ステップＳ１）と制御部３１は水分検知センサー５１、及び吐風口駆動モータ６１が作動するように信号を発信する。（ステップＳ２）。そして、制御部３１は水分検知センサー５１が水分を検知すると（ステップＳ３）制御部３１はヒータ３７が作動するように信号を発信する（ステップＳ４）。そして制御部３１は、循環モータ１５の回転数を暖房モードより、高速回転で回転させる信号を送る（ステップＳ５）。浴室乾燥スイッチがオンされずに、暖房スイッチがオンされると（ステップＳ６）、浴室乾燥運転と同様に制御部３１は、ヒータ３７および循環モータ１５を運転するように作動させて、暖房運転を開始する。また、ステップＳ６で暖房スイッチがオンされずに送風スイッチがオンされる（ステップＳ７）と循環モータを作動させて（ステップＳ５）送風運転を開始する。こうして、浴室乾燥モードのみ、水分検知センサーにて、浴室の結露水の状況を判断して、浴室を乾燥することができる。
【００２７】
また、循環風路２１に配設した加熱手段の代わりに、除湿剤、除湿装置等を設けて浴室内の洗濯物等の乾燥等が行えるようにしてもよい。
【図面の簡単な説明】
【図１】図１は、本発明の一実施形態に係る空調装置の設置例。
【図２】図２は、本発明における空調装置の内部構造を示す断面図。
【図３】図３は、本発明における空調装置の制御ブロック図。
【図４】図４は、本発明における操作部としてのリモコンの一実施形態を示す図。
【図５】図５は、本発明における空調装置の一実施形態を示す運動動作シーケンス。
【符号の説明】
Ａ…浴室
１…本体
７…吐風口
１１…吸気口
１３…循環ファン
１５…循環モータ
２１…風路
３１…制御部
４１…リモコン
５１…水分検知センサー
【図１】
2004309000.tif 000003
【図２】
2004309000.tif 000004
【図３】
2004309000.tif 000005
【図４】
2004309000.tif 000006
【図５】
2004309000.tif 000007